(57)【要約】【課題】  軸方向での寸法が互いに異なる２種類の光源に対して器具本体を共用とすることができ、且つ、製造コストが抑えられる照明器具を提供する。【解決手段】  直管形の光源１が取り付けられる照明器具であって、光源１の軸方向の一端部ずつが接続される２組のソケット２と、各ソケット２を、それぞれ、光源１の軸方向に平行移動可能な形で支持する器具本体３とを備える。ソケット２と器具本体３との間に介在し、器具本体３に対するソケット２の変位であって１組のソケット２間の距離を大きくする向きへの変位を制限するストッパ７とを備える。ストッパ７を取り外して各ソケット２をそれぞれ光源１の軸方向外向きに変位させることで、軸方向での寸法がより大きい別の光源を接続することができる。また、ソケット２と光源１との間に介在して電気的な接続をも行うアダプタを用いる場合に比べ、製造コストが抑えられる。【選択図】図１
2013004204.tif 000002
【特許請求の範囲】
【請求項１】
直管形の光源が取り付けられる照明器具であって、
前記光源の軸方向の一端部ずつが接続される少なくとも１組のソケットと、
前記各ソケットをそれぞれ支持する器具本体とを備え、
前記ソケットの各組についてそれぞれ少なくとも一方の前記ソケットは前記器具本体に対して１組の前記ソケット間の距離を変化させる方向に変位可能な形で支持されていて、
前記器具本体に対して変位可能に支持された各前記ソケットについてそれぞれ設けられ、前記器具本体と前記ソケットとの少なくとも一方に対して着脱自在に結合して前記ソケットと前記器具本体との間に介在し、前記器具本体に対する前記ソケットの変位であって１組の前記ソケット間の距離を大きくする向きへの変位を制限するストッパを備えることを特徴とする照明器具。
【請求項２】
各前記ソケットはそれぞれ前記器具本体に対して１組の前記ソケット間の距離を変化させる方向に変位可能な形で支持されていて、
前記ストッパは各前記ソケットについてそれぞれ設けられていることを特徴とする請求項１記載の照明器具。
【請求項３】
１組の前記ソケット間の距離を大きくする方向に弾性変形可能な前記ストッパを備えることを特徴とする請求項１又は請求項２記載の照明器具。
【発明の詳細な説明】
【技術分野】
【０００１】
本発明は、照明器具に関するものである。
【背景技術】
【０００２】
従来から、直管形の光源が取り付けられる照明器具が提供されている。
【０００３】
この種の照明器具は、光源の一端部ずつが接続される少なくとも１組のソケットと、各ソケットをそれぞれ支持する器具本体とを備える。各ソケットは、それぞれ、導電材料からなり光源が有する端子ピンに接触導通する接触子を有し、光源への給電は上記の端子ピンと接触子とを介して行われる。
【０００４】
ここで、直管形の光源の規格としては、軸方向の寸法が互いに異なる規格が存在する。そして、１組のソケット間の間隔は、取り付けられる光源の軸方向の寸法に合わせる必要がある。
【０００５】
しかしながら、取り付けられる光源の規格が互いに異なる複数種類の照明器具毎に異なる器具本体を用いた場合、器具本体が共用化できないことで、全体として製造コストが高くなってしまう。
【０００６】
光源を、該光源とは異なる規格に準拠した器具本体に取り付ける方法としては、光源とソケットとの間にアダプタを介在させるという方法が知られている（例えば、特許文献１参照）。
【先行技術文献】
【特許文献】
【０００７】
【特許文献１】特開２０１０−２５１２０８号公報
【発明の概要】
【発明が解決しようとする課題】
【０００８】
しかしながら、上記のアダプタでは、ソケットの接触子と光源の端子ピンとを電気的に接続する導電部が必要であるため、製造コストが比較的に高くなってしまう。
【０００９】
本発明は、上記事由に鑑みて為されたものであり、その目的は、軸方向での寸法が互いに異なる２種類の光源に対して器具本体を共用とすることができ、且つ、製造コストが抑えられる照明器具を提供することにある。
【課題を解決するための手段】
【００１０】
本発明の照明器具は、直管形の光源が取り付けられる照明器具であって、前記光源の軸方向の一端部ずつが接続される少なくとも１組のソケットと、前記各ソケットをそれぞれ支持する器具本体とを備え、前記ソケットの各組についてそれぞれ少なくとも一方の前記ソケットは前記器具本体に対して１組の前記ソケット間の距離を変化させる方向に変位可能な形で支持されていて、前記器具本体に対して変位可能に支持された各前記ソケットについてそれぞれ設けられ、前記器具本体と前記ソケットとの少なくとも一方に対して着脱自在に結合して前記ソケットと前記器具本体との間に介在し、前記器具本体に対する前記ソケットの変位であって１組の前記ソケット間の距離を大きくする向きへの変位を制限するストッパを備えることを特徴とする。
【００１１】
上記の照明器具において、各前記ソケットはそれぞれ前記器具本体に対して１組の前記ソケット間の距離を変化させる方向に変位可能な形で支持されていて、前記ストッパは各前記ソケットについてそれぞれ設けられていてもよい。
【００１２】
また、上記の照明器具において、１組の前記ソケット間の距離を大きくする方向に弾性変形可能な前記ストッパを備えることが望ましい。
【発明の効果】
【００１３】
本発明によれば、ストッパを取り外すとともに１組のソケット間の距離を大きくする方向にソケットを変位させることで軸方向での寸法（管長）がより大きい光源を取り付けることができるといったように、取り付けられる光源の軸方向での寸法が互いに異なる２種類の照明器具において、器具本体とソケットとを共用とすることができる。
【図面の簡単な説明】
【００１４】
【図１】本発明の実施形態において反射板が取り外され光源が取り付けられた状態での要部を示す斜視図である。
【図２】同上において光源が取り付けられた状態を示す斜視図である。
【図３】同上においてソケット保持体にソケットとストッパとが取り付けられた状態の要部を示す斜視図である。
【図４】同上においてソケット保持体にソケットが取り付けられた状態を示す説明図である。
【図５】同上においてソケット保持体にストッパが取り付けられた状態を示す説明図である。
【図６】同上の要部を示す下面図である。
【図７】同上のストッパを示す斜視図である。
【図８】同上においてストッパを取り付けられたソケット保持体にソケットが取り付けられる過程の要部を示す斜視図である。
【図９】同上のストッパの要部を示す断面図である。
【図１０】同上の変更例におけるストッパを示す正面図である。
【図１１】同上の別の変更例におけるソケットとストッパとを示す分解斜視図である。
【図１２】図１１の例においてソケットにストッパが取り付けられた状態を示す斜視図である。
【図１３】図１１の例においてストッパを取り付けられたソケットがソケット保持体に取り付けられる過程の要部を示す斜視図である。
【図１４】（ａ）（ｂ）はそれぞれ同上の更に別の変更例を示す側面図であり、（ａ）はバネ部が弾性復帰した状態を示し、（ｂ）はバネ部が弾性変形した状態を示す。
【発明を実施するための形態】
【００１５】
以下、本発明を実施するための最良の形態について、図面を参照しながら説明する。
【００１６】
本実施形態は、図１及び図２に示すように、直管形の光源１が２本取り付けられる照明器具であって、光源１の軸方向の一端部ずつが接続される２組（計４個）のソケット２と、各ソケットを、それぞれ、光源１の軸方向に平行移動可能な形で支持する器具本体３とを備える。２本の光源１は軸方向を互いに平行として取り付けられる。
【００１７】
本実施形態が天井に取り付けられた場合、各ソケット２はそれぞれ器具本体３の下方に突出し、各光源１はそれぞれ器具本体３の下側において保持される。以下、上下方向は図２を基準として説明する。すなわち、本実施形態が天井に取り付けられた場合での方向を基準として説明する。なお、本実施形態が壁面など天井以外の取付面に取り付けられた場合、以下の説明における下方とは取付面に直交する方向であって取付面から離れる方向を指す。また、各光源１の軸方向に一致する方向を以下では単に軸方向と呼び、上下方向と軸方向とに直交する方向（つまり、２本の光源１が並ぶ方向）を幅方向と呼ぶ。
【００１８】
光源１は、円柱形状の本体部１１と、本体部１１の軸方向の両端にそれぞれ突設されたピン端子（図示せず）とを有し、このピン端子を介して給電されることにより本体部１１を発光させるものである。このような光源１としては、蛍光灯やＬＥＤランプが知られている。
【００１９】
各ソケット２は、それぞれ、導電材料からなる接触子（図示せず）を有する。各ソケット２は、光源１の一端部が接続された状態では、上記の接触子に光源１のピン端子を接触導通させた状態で光源１の軸方向の一端部を保持する。各光源１の点灯用の電力を生成する点灯回路（図示せず）から各光源１への給電は、上記の接触子と端子ピンとを介して行われる。上記の点灯回路は、例えば器具本体３に保持される。
【００２０】
上記のような光源１やソケット２や点灯回路は周知技術で実現可能であるので、詳細な図示並びに説明は省略する。
【００２１】
次に、器具本体３について説明する。器具本体３は、それぞれ光源１の軸方向の一端側において２個ずつのソケット２を保持する２個のソケット保持体４と、各ソケット保持体４がそれぞれ固定されるとともに天井に固定されるベース５と、各ソケット保持体４及びベース５の下側に固定されて各光源１の光をそれぞれ下方に配光する反射板６とを有する。各ソケット保持体４と反射板６とをそれぞれベース５に固定する手段としては例えばねじ止めを用いることができる。
【００２２】
反射板６は下方に開口した凹部６０を有し、凹部６０の底面にはそれぞれ１個ずつのソケット２が挿通される４個のソケット挿通穴６１が設けられている。
【００２３】
また、各ソケット保持体４は、それぞれ、図３及び図４に示すように、反射板６のソケット挿通穴６１に連通してソケット２が挿通されるソケット挿通部４１を、ソケット２に一対一に対応して２個有する。ソケット挿通部４１は軸方向の内側と上下方向とにそれぞれ開放された切り欠きからなる。
【００２４】
各ソケット２は、それぞれ、ソケット挿通部４１及びソケット挿通穴６１に挿通される本体部２１と、本体部２１の上端から幅方向の両側に突出する鍔部２２とを有する。そして、ソケット挿通部４１の縁であってソケット２を挟む部位の上面にそれぞれ鍔部２２が載置されることで、各ソケット２はそれぞれソケット保持体４に支持される。また、各ソケット２の幅方向の両側面において、それぞれ、鍔部２２の上側には、ソケット挿通部４１の縁を鍔部２２との間に挟む係止凸部２３が突設されている。各係止凸部２３はそれぞれ下方へ向かって突出寸法を小さくするように傾斜している。ソケット２がソケット保持体４に取り付けられる際には、本体部２１が上方からソケット挿通部４１に導入される。このとき、係止凸部２３がソケット挿通部４１の内面に摺接することでソケット２やソケット保持体４が弾性変形し、やがて係止凸部２３がソケット保持体４の下側に至ると弾性復帰によりソケット挿通部４１の縁が係止凸部２３と鍔部２２との間に挟まれる。
【００２５】
また、ソケット挿通部４１の幅方向の両端において、それぞれ、軸方向の内側の端部には、抜け止め凸部４２が幅方向の内向きに突設されている。抜け止め凸部４２間の隙間の寸法は、幅方向におけるソケット２の本体部２１の寸法よりも小さくされている。つまり、ソケット挿通部４１からのソケット２の脱落であって軸方向の内向きへの脱落は、抜け止め凸部４２により阻止される。
【００２６】
ここで、ソケット挿通部４１における軸方向の外側の端と各抜け止め凸部４２との距離は、軸方向についてのソケット２の本体部２１の寸法よりも大きくされている。これにより、各ソケット２は、それぞれ、ソケット保持体４に支持された状態で、器具本体３に対して軸方向に変位可能となっている。
【００２７】
以下、本実施形態の特徴部分について説明する。
【００２８】
本実施形態は、ソケット２よりも軸方向の外側においてソケット２とソケット保持体４との間に介在するストッパ７を、各ソケット２について１個ずつ備える。各ストッパ７の材料としては例えば合成樹脂を用いることができる。各ストッパ７がそれぞれ取り付けられた状態では、器具本体３に対する各ソケット２の変位であって１組のソケット２間の距離を離す方向の変位が制限される。
【００２９】
そして、ストッパ７が取り付けられていない状態で、１組のソケット２間の距離が最も大きくされた状態では、該１組のソケット２には、図１に示した光源１よりも軸方向の寸法（管長）が長い別種の光源（図示せず）を取付可能となっている。
【００３０】
一方、ストッパ７が取り付けられた状態では、１組のソケット２間の距離は、図１の光源１を取付可能な程度に長い範囲内で、上記の別種の光源を取り付けることができない程度に短く制限される。
【００３１】
図１の光源１は例えばＪＥＬ８０１に準拠した全長５８０ｍｍの直管形ＬＥＤランプであり、上記の別種の光源は例えばＴ８規格に準拠した全長５８８．５ｍｍの高周波放電灯である。この場合、個々のストッパ７はソケット２の可動範囲を４ｍｍ程度ずつ狭めればよい。
【００３２】
ストッパ７の形状について具体的に説明すると、ストッパ７は、図５に示すように、
ソケット保持体４に取り付けられた状態でソケット挿通部４１内に位置する被挿通部７１と、被挿通部７１の上端から幅方向の両側にそれぞれ突出しソケット挿通部４１の縁においてソケット保持体４の上面に当接する本体部７２と、被挿通部７１の下端から幅方向の両側にそれぞれ突出し本体部７２との間にソケット挿通部４１の縁を挟む鍔部７３とを有する。図６に示すように、幅方向（図６での上下方向）において、鍔部７３の寸法Ｗ１は、反射板６のソケット挿通穴６１の寸法Ｗ２よりも大きくされている。これにより、下方から見てソケット挿通穴６１の内周と鍔部７３との間に隙間が生じる場合に比べ、見栄えが改善される。
【００３３】
また、図７に示すように、ストッパ７の本体部７２から被挿通部７１にかけての軸方向の両面にはそれぞれ凹部７４が設けられている。また、ストッパ７の各凹部７４の底面には、それぞれ、下端が鍔部７３の上面に連結され上方に向かって突出寸法が小さくなる三角形状の２個のガイド凸部７５が突設されている。すなわち、本実施形態のストッパ７は、軸方向に関して対称な形状とされている。
【００３４】
ここで、本実施形態の組立時には、各ソケット２は、それぞれ、ストッパ７よりも後にソケット保持体４に取り付けられるから、ソケット２の取付時にストッパ７が邪魔になる可能性がある。本実施形態では、ストッパ７に上記のような凹部７４が設けられていることで、凹部７４が設けられない場合に比べて、ソケット２を軸方向の内側からソケット挿通部４１の上側に導入する際にソケット２とストッパ７との干渉が発生しにくいことで、組立性が改善されている。また、ストッパ７において凹部７４は鍔部７３を貫通しておらず下方には開口していないから、凹部７４が下方に開口する場合に比べ、下方から見たときの見栄えが改善される。さらに、取付時にソケット２が図８に示すように一時的に凹部７４内に進入しても、ソケット２がガイド凸部７５にガイドされるからソケット２と鍔部７３との干渉が発生しにくいことにより、ガイド凸部７５が設けられない場合に比べてソケット２の取付作業が容易であり、組立性が改善されている。
【００３５】
また、ストッパ７は、上下方向に平行な軸に関して２回回転対称な形状となっているので、ストッパ７を逆向き（上記の軸周りに１８０°回転させた向き）としても問題なく取付作業を行うことができるから、ストッパ７を非対称な形状とする場合に比べて組立性が改善されている。また、全てのストッパ７において寸法形状を互いに共通とすることができるから、例えば軸方向の一方側と他方側とでストッパ７の寸法形状を異ならせる場合に比べて製造コストが抑えられる。
【００３６】
また、図９に示すように、ストッパ７において、被挿通部７１の幅方向の両側にはそれぞれ圧接凸部７６が突設されている。ストッパ７が取り付けられる際には、ストッパ７の幅方向を器具本体３の幅方向に対して斜めとして本体部７２をソケット挿通部４１に挿通した後、ストッパ７を器具本体３に対して回転させる。このとき上記の圧接凸部７６がソケット挿通部４１の内周面に押圧されて塑性変形することで、ストッパ７がソケット挿通部４１の内面に密着するから、圧接凸部７６が設けられない場合に比べてストッパ７のがたつきが抑えられる。
【００３７】
上記構成によれば、ストッパ７を取り外すとともに１組のソケット２間の距離を大きくすることで、ストッパ７の存在下で取り付けられる光源１よりも軸方向の寸法が大きい別の光源（図示せず）を接続することができる。すなわち、取り付けられる光源１の軸方向での寸法が互いに異なる２種類の照明器具において、器具本体３とソケット２とを共用とすることができる。
【００３８】
また、特許文献１に記載されたようにソケット２と光源１との間に介装されるアダプタではソケット２の接触子と光源１の端子ピンとを電気的に接続する導電部を設ける必要があるのに対し、本実施形態のストッパ７には導電部を設ける必要が無いから、上記のアダプタを用いる場合に比べて本実施形態では製造コストの低減が可能である。特に、ＪＥＬ８０１とＴ８規格とのように寸法の差が比較的に小さく（上記の例では８．５ｍｍ）、上記のようなアダプタの製造が困難な場合には、上記のような製造コスト面での優位性が高くなる。
【００３９】
なお、図１０に示すように、ストッパ７の本体部７２の幅方向の両側に、それぞれ、本体部７２からの突出寸法を小さくするように弾性変形可能であってソケット挿通部４１の縁を鍔部７３との間に挟む係止爪７７を突設してもよい。図１０の係止爪７７は、上端において本体部７２に連結され、下方に向かって幅方向の外向きに傾斜している。ストッパ７の上端部の幅寸法Ｗ４、並びに、各係止爪７７がそれぞれ最大限に弾性変形した状態での係止爪７７の先端間の距離は、それぞれソケット挿通部４１の幅寸法よりも小さくされている。また、各係止爪７７がそれぞれ弾性復帰した状態での係止爪７７の先端間の距離Ｗ５はソケット挿通部４１の幅寸法よりも大きくされている。この構成を採用すれば、ストッパ７の幅方向と器具本体３の幅方向とを互いに揃えた状態でストッパ７を下方からソケット挿通部４１に押し込むだけで、係止爪７７の弾性変形及び復帰によりストッパ７を器具本体３に取り付けることができる。図１０の例において、下方からソケット挿通部４１へのストッパ７の導入を容易とするためには、ストッパ７の上端の幅寸法Ｗ４は被挿通部７１の幅寸法Ｗ３よりも小さくされることが望ましい。
【００４０】
また、上記のようにソケット２とは別途に器具本体３に取り付けられるストッパ７に代えて、図１１〜図１３に示すように、予めソケット２に取り付けられるストッパ８を用いてもよい。図１１〜図１３の例では、ストッパ８は、断面Ｕ字形状の板からなり、厚さ方向を上下方向に向けてソケット２の上面にねじ止めされる固定部８１と、固定部８１から下方に突設されて厚さ方向を軸方向に向けて器具本体３（ソケット保持体４）に当接する当接部８２と、当接部８２の下端から軸方向に突設されて先端がソケット２に当接することで当接部８２の変形を防止する変形防止部８３とを有する。また、図１３の例では、ソケット保持体４の抜け止め部４２は、下方に突設されており、係止凸部２３に当接することで、ソケット挿通部４１からのソケット２の脱落を防止する。
【００４１】
さらに、図１４（ａ）（ｂ）に示すように、軸方向（すなわち、１組のソケット２間の距離を変化させる方向）に弾性変形可能なバネ部８４を、ソケット２に当接する部位である固定部８１と、器具本体３に当接する部位との間に設けてもよい。図１４（ａ）（ｂ）の例ではバネ部８４は断面Ｖ字形状の板バネからなり、一端（図での左端）が固定部８１に連結されて他端において器具本体３（ソケット保持体４）に弾接するものであって、ソケット２が図１４（ｂ）に矢印Ａ１で示すような軸方向外向き（すなわち１組のソケット２間の距離を大きくする方向）の力を受けたときに弾性変形する。この構成を採用すれば、ソケット２に接続された光源１の熱膨張による歪みをバネ部８４の弾性変形によって吸収することができるから、上記の熱膨張によるソケット２や器具本体３の破損を防止することができる。
【符号の説明】
【００４２】
１  光源
２  ソケット
３  器具本体
７，８  ストッパ
【図１】
2013004204.tif 000003
【図２】
2013004204.tif 000004
【図３】
2013004204.tif 000005
【図４】
2013004204.tif 000006
【図５】
2013004204.tif 000007
【図６】
2013004204.tif 000008
【図７】
2013004204.tif 000009
【図８】
2013004204.tif 000010
【図９】
2013004204.tif 000011
【図１０】
2013004204.tif 000012
【図１１】
2013004204.tif 000013
【図１２】
2013004204.tif 000014
【図１３】
2013004204.tif 000015
【図１４】
2013004204.tif 000016